(57)【特許請求の範囲】
【請求項１】
支持台の上端に形成された第１連結部と灯具本体の下端に形成された第２連結部とが互いに側方から重ね合わされて配置され、前記第１連結部と前記第２連結部とが枢着されることによって、前記灯具本体が前記支持台に対して上下方向へ首振り可能に取り付けられた照明装置であって、
前記第１連結部と前記第２連結部とが連結部固定手段を用いて固定されることによって前記灯具本体が前記支持台に対して固定されるものとなされ、
前記第２連結部の側方に首振り角度記憶用リング体がその周方向に回動自在に取り付けられ、該首振り角度記憶用リング体は、リング体固定手段を用いて前記第２連結部に固定し得るものとなされ、
前記首振り角度記憶用リング体の外周面に係止孔が設けられる一方、前記支持台の上端部に、前記係止孔に係止し得る係止部が設けられ、該係止部は、前記支持台の上端部より上方に突出できるように上方へ向けて付勢されていることを特徴とする照明装置。
【請求項２】
前記支持台の上端部の係止部を前記首振り角度記憶用リング体の外周面の係止孔に係止せしめると共に、前記灯具本体の上下方向への首振り角度を所望角度に調整し、この調整状態で前記第１連結部と前記第２連結部とを連結部固定手段を用いて固定すると共に前記首振り角度記憶用リング体をリング体固定手段を用いて前記第２連結部に固定することによって、前記灯具本体を前記支持台に対して所望の首振り角度で固定できる一方、
前記第１連結部と前記第２連結部との連結部固定手段による固定を解除すると共に前記支持台の上端部の係止部による前記リング体の外周面の係止孔への係止状態を係止部の付勢力に抗して解除することによって、前記灯具本体は再び前記支持台に対して上下方向へ首振り移動可能になるものとなされ、
前記灯具本体を首振り移動せしめた後、前記灯具本体を前記支持台に対して回動せしめることで、前記支持台の上端部の係止部が前記首振り角度記憶用リング体の外周面の係止孔の位置にきたときに前記付勢力によって該係止孔に侵入して係止され、これにより再び前記灯具本体を前記支持台に対して前記調整した所望の首振り角度で固定できるように構成されていることを特徴とする請求項１に記載の照明装置。
【請求項３】
支持台の上端に形成された第１連結部と灯具本体の下端に形成された第２連結部とが互いに側方から重ね合わされて配置され、前記第１連結部と前記第２連結部とが枢着されることによって、前記灯具本体が前記支持台に対して上下方向へ首振り可能に取り付けられた照明装置であって、
前記第１連結部と前記第２連結部とが連結部固定手段を用いて固定されることによって前記灯具本体が前記支持台に対して固定されるものとなされ、
前記第１連結部の側方に首振り角度記憶用リング体がその周方向に回動自在に取り付けられ、該首振り角度記憶用リング体は、リング体固定手段を用いて前記第１連結部に固定し得るものとなされ、
前記首振り角度記憶用リング体の外周面に係止孔が設けられる一方、前記灯具本体の下端部に、前記係止孔に係止し得る係止部が設けられ、該係止部は、前記灯具本体の下端部より下方に突出できるように下方へ向けて付勢されていることを特徴とする照明装置。
【請求項４】
前記灯具本体の下端部の係止部を前記首振り角度記憶用リング体の外周面の係止孔に係止せしめると共に、前記灯具本体の上下方向への首振り角度を所望角度に調整し、この調整状態で前記第１連結部と前記第２連結部とを連結部固定手段を用いて固定すると共に前記首振り角度記憶用リング体をリング体固定手段を用いて前記第１連結部に固定することによって、前記灯具本体を前記支持台に対して所望の首振り角度で固定できる一方、
前記第１連結部と前記第２連結部との連結部固定手段による固定を解除すると共に前記灯具本体の下端部の係止部による前記リング体の外周面の係止孔への係止状態を係止部の付勢力に抗して解除することによって、前記灯具本体は再び前記支持台に対して上下方向へ首振り移動可能になるものとなされ、
前記灯具本体を首振り移動せしめた後、前記灯具本体を前記支持台に対して回動せしめることで、前記灯具本体の下端部の係止部が前記首振り角度記憶用リング体の外周面の係止孔の位置にきたときに前記付勢力によって該係止孔に侵入して係止され、これにより再び前記灯具本体を前記支持台に対して前記調整した所望の首振り角度で固定できるように構成されていることを特徴とする請求項３に記載の照明装置。
【請求項５】
支持台の上端に形成された第１連結部と灯具本体の下端に形成された第２連結部とが互いに側方から重ね合わされて配置され、前記第１連結部と前記第２連結部とが枢着されることによって、前記灯具本体が前記支持台に対して上下方向へ首振り可能に取り付けられた照明装置であって、
前記第１連結部と前記第２連結部とが連結部固定手段を用いて固定されることによって前記灯具本体が前記支持台に対して固定されるものとなされ、
前記第２連結部の側方に首振り角度記憶用リング体がその周方向に回動自在に取り付けられ、該首振り角度記憶用リング体は、リング体固定手段を用いて前記第２連結部に固定し得るものとなされ、
前記支持台の上端部に係止孔が設けられる一方、前記首振り角度記憶用リング体に、前記係止孔に係止し得る係止部が設けられ、該係止部は、前記リング体の外周面より外方に突出できるように外方へ向けて付勢されていることを特徴とする照明装置。
【請求項６】
支持台の上端に形成された第１連結部と灯具本体の下端に形成された第２連結部とが互いに側方から重ね合わされて配置され、前記第１連結部と前記第２連結部とが枢着されることによって、前記灯具本体が前記支持台に対して上下方向へ首振り可能に取り付けられた照明装置であって、
前記第１連結部と前記第２連結部とが連結部固定手段を用いて固定されることによって前記灯具本体が前記支持台に対して固定されるものとなされ、
前記第１連結部の側方に首振り角度記憶用リング体がその周方向に回動自在に取り付けられ、該首振り角度記憶用リング体は、リング体固定手段を用いて前記第１連結部に固定し得るものとなされ、
前記灯具本体の下端部に係止孔が設けられる一方、前記首振り角度記憶用リング体に、前記係止孔に係止し得る係止部が設けられ、該係止部は、前記リング体の外周面より外方に突出できるように外方へ向けて付勢されていることを特徴とする照明装置。
【発明の詳細な説明】
【技術分野】
【０００１】
この発明は、例えば、壁面照明などに使用されるスポットライト等として好適に用いられる照明装置に関する。
【背景技術】
【０００２】
例えば、スポットライト用の照明装置では、一般的に、光源を備えた灯具本体を支持台に対して上下方向へ首振り可能に枢着してある。
【０００３】
このような照明装置では、灯具本体の首振り角度（照射角度）を調整して設置されるのであるが、ランプ交換等のために一旦灯具本体の首振り角度が変更された場合にも灯具本体を再び変更前と同じ首振り角度に迅速に設定できることが望まれる。
【０００４】
このため、従来、例えば灯具本体の支軸と同軸上に位置して、灯具本体と支持体との間に角度目盛り板を配置し、この角度目盛り板に対向して前記支持体に姿勢復帰位置を示す第１マークを設け、灯具本体と共に回転して回動角度を示す第２マークを該灯具本体に設け、灯具本体の角度の変更後でも、変更前の角度が分かるようにした技術が開示されている（特許文献１参照）。
【０００５】
また、灯体を支持具に枢支する支軸に俯角板を設け、灯体の上死点または下死点を設定するために、弧状孔をもった回転板を前記支軸と同軸的に一定角度だけ回転自在に配設し、前記弧状孔に嵌合したストッパーピンを前記支持具に固定し、灯体の首振り角度を調整後、灯体と共に回転変移する俯角板の回転方向へ回転板を回転させ、その回転板の回転が前記ストッパピンに阻止された状態で回転板を俯角板に締め付け固定することにより、灯体が適正角度よりも上方もしくは下方へ首振りしないように回転を阻止できる技術が提案されている（特許文献２参照）。
【特許文献１】特開平１１−１１１０２０号公報
【特許文献２】特開２００５−１９０４３号公報
【発明の開示】
【発明が解決しようとする課題】
【０００６】
前者の従来技術では、灯具本体と支持体との間に設けた角度目盛に基づいて角度調整作業を行うのであるが、しかしながら、灯具本体の近傍は暗い状態になることが比較的多く、このような場合には角度目盛りが視認し難いし、また夜間では角度目盛りが視認できず、このように実用性に劣るという問題があった。
【０００７】
また、後者の従来技術は、俯角板の回転と同方向へ回転させる回転板は、灯体の上向き照射方向の位置、または下方の照射方向の位置を決めるためのものであり、上向き照射方向の位置から下方の照射方向の位置までの間を任意に選択するものとは違って、使い勝手が悪い。更に、灯体を例えば上方へ首振りさせた場合に、回転板を同方向へ回転させなければならず、面倒である。
【０００８】
この発明は、かかる技術的背景に鑑みてなされたものであって、灯具本体を任意の照射角度に設定してこの照射角度を記憶させることができ、ランプ交換や保守点検時等に灯具本体の照射角度を変更した場合にも記憶させた照射角度に容易かつ速やかに再設定できる照明装置を提供することを目的とする。
【課題を解決するための手段】
【０００９】
前記目的を達成するために、本発明は以下の手段を提供する。
【００１０】
［１］支持台の上端に形成された第１連結部と灯具本体の下端に形成された第２連結部とが互いに側方から重ね合わされて配置され、前記第１連結部と前記第２連結部とが枢着されることによって、前記灯具本体が前記支持台に対して上下方向へ首振り可能に取り付けられた照明装置であって、
前記第１連結部と前記第２連結部とが連結部固定手段を用いて固定されることによって前記灯具本体が前記支持台に対して固定されるものとなされ、
前記第２連結部の側方に首振り角度記憶用リング体がその周方向に回動自在に取り付けられ、該首振り角度記憶用リング体は、リング体固定手段を用いて前記第２連結部に固定し得るものとなされ、
前記首振り角度記憶用リング体の外周面に係止孔が設けられる一方、前記支持台の上端部に、前記係止孔に係止し得る係止部が設けられ、該係止部は、前記支持台の上端部より上方に突出できるように上方へ向けて付勢されていることを特徴とする照明装置。
【００１１】
［２］前記支持台の上端部の係止部を前記首振り角度記憶用リング体の外周面の係止孔に係止せしめると共に、前記灯具本体の上下方向への首振り角度を所望角度に調整し、この調整状態で前記第１連結部と前記第２連結部とを連結部固定手段を用いて固定すると共に前記首振り角度記憶用リング体をリング体固定手段を用いて前記第２連結部に固定することによって、前記灯具本体を前記支持台に対して所望の首振り角度で固定できる一方、
前記第１連結部と前記第２連結部との連結部固定手段による固定を解除すると共に前記支持台の上端部の係止部による前記リング体の外周面の係止孔への係止状態を係止部の付勢力に抗して解除することによって、前記灯具本体は再び前記支持台に対して上下方向へ首振り移動可能になるものとなされ、
前記灯具本体を首振り移動せしめた後、前記灯具本体を前記支持台に対して回動せしめることで、前記支持台の上端部の係止部が前記首振り角度記憶用リング体の外周面の係止孔の位置にきたときに前記付勢力によって該係止孔に侵入して係止され、これにより再び前記灯具本体を前記支持台に対して前記調整した所望の首振り角度で固定できるように構成されていることを特徴とする前項１に記載の照明装置。
【００１２】
［３］支持台の上端に形成された第１連結部と灯具本体の下端に形成された第２連結部とが互いに側方から重ね合わされて配置され、前記第１連結部と前記第２連結部とが枢着されることによって、前記灯具本体が前記支持台に対して上下方向へ首振り可能に取り付けられた照明装置であって、
前記第１連結部と前記第２連結部とが連結部固定手段を用いて固定されることによって前記灯具本体が前記支持台に対して固定されるものとなされ、
前記第１連結部の側方に首振り角度記憶用リング体がその周方向に回動自在に取り付けられ、該首振り角度記憶用リング体は、リング体固定手段を用いて前記第１連結部に固定し得るものとなされ、
前記首振り角度記憶用リング体の外周面に係止孔が設けられる一方、前記灯具本体の下端部に、前記係止孔に係止し得る係止部が設けられ、該係止部は、前記灯具本体の下端部より下方に突出できるように下方へ向けて付勢されていることを特徴とする照明装置。
【００１３】
［４］前記灯具本体の下端部の係止部を前記首振り角度記憶用リング体の外周面の係止孔に係止せしめると共に、前記灯具本体の上下方向への首振り角度を所望角度に調整し、この調整状態で前記第１連結部と前記第２連結部とを連結部固定手段を用いて固定すると共に前記首振り角度記憶用リング体をリング体固定手段を用いて前記第１連結部に固定することによって、前記灯具本体を前記支持台に対して所望の首振り角度で固定できる一方、
前記第１連結部と前記第２連結部との連結部固定手段による固定を解除すると共に前記灯具本体の下端部の係止部による前記リング体の外周面の係止孔への係止状態を係止部の付勢力に抗して解除することによって、前記灯具本体は再び前記支持台に対して上下方向へ首振り移動可能になるものとなされ、
前記灯具本体を首振り移動せしめた後、前記灯具本体を前記支持台に対して回動せしめることで、前記灯具本体の下端部の係止部が前記首振り角度記憶用リング体の外周面の係止孔の位置にきたときに前記付勢力によって該係止孔に侵入して係止され、これにより再び前記灯具本体を前記支持台に対して前記調整した所望の首振り角度で固定できるように構成されていることを特徴とする前項３に記載の照明装置。
【００１４】
［５］支持台の上端に形成された第１連結部と灯具本体の下端に形成された第２連結部とが互いに側方から重ね合わされて配置され、前記第１連結部と前記第２連結部とが枢着されることによって、前記灯具本体が前記支持台に対して上下方向へ首振り可能に取り付けられた照明装置であって、
前記第１連結部と前記第２連結部とが連結部固定手段を用いて固定されることによって前記灯具本体が前記支持台に対して固定されるものとなされ、
前記第２連結部の側方に首振り角度記憶用リング体がその周方向に回動自在に取り付けられ、該首振り角度記憶用リング体は、リング体固定手段を用いて前記第２連結部に固定し得るものとなされ、
前記支持台の上端部に係止孔が設けられる一方、前記首振り角度記憶用リング体に、前記係止孔に係止し得る係止部が設けられ、該係止部は、前記リング体の外周面より外方に突出できるように外方へ向けて付勢されていることを特徴とする照明装置。
【００１５】
［６］支持台の上端に形成された第１連結部と灯具本体の下端に形成された第２連結部とが互いに側方から重ね合わされて配置され、前記第１連結部と前記第２連結部とが枢着されることによって、前記灯具本体が前記支持台に対して上下方向へ首振り可能に取り付けられた照明装置であって、
前記第１連結部と前記第２連結部とが連結部固定手段を用いて固定されることによって前記灯具本体が前記支持台に対して固定されるものとなされ、
前記第１連結部の側方に首振り角度記憶用リング体がその周方向に回動自在に取り付けられ、該首振り角度記憶用リング体は、リング体固定手段を用いて前記第１連結部に固定し得るものとなされ、
前記灯具本体の下端部に係止孔が設けられる一方、前記首振り角度記憶用リング体に、前記係止孔に係止し得る係止部が設けられ、該係止部は、前記リング体の外周面より外方に突出できるように外方へ向けて付勢されていることを特徴とする照明装置。
【発明の効果】
【００１６】
［１］［２］の発明によれば、支持台の上端部の係止部を首振り角度記憶用リング体の外周面の係止孔に係止せしめると共に、灯具本体の上下方向への首振り角度を所望角度に調整し、この調整状態で第１連結部と第２連結部とを連結部固定手段を用いて固定すると共に首振り角度記憶用リング体をリング体固定手段を用いて第２連結部に固定することによって、灯具本体を支持台に対して所望の首振り角度で固定することが可能となるのであるが、この時、灯具本体の所望の首振り角度での固定状態は、支持台の係止部が首振り角度記憶用リング体の係止孔に係止できる位置関係になった状態と関係付けられたものとなる、即ち、前記設定された灯具本体の首振り角度は、支持台の係止部とリング体の係止孔の位置関係によって照明装置に記憶される。しかして、ランプ交換や保守点検等のために灯具本体の照射角度を変更した場合でも、灯具本体を支持台に対して回動せしめれば、支持台の上端部の係止部が首振り角度記憶用リング体の外周面の係止孔の位置にきたときに係止部はその付勢力によって係止孔に侵入して係止され、即ち記憶された首振り角度になった時に係止部が係止孔に再び係止されてロック固定されるので、再び灯具本体を支持台に対して所望の首振り角度（先の設定角度）で固定することができる。
【００１７】
従って、本発明の照射装置では、従来の角度目盛り板を目安にするものと違って、ランプ交換や保守点検作業等を行うために灯具本体の照射角度を変更した場合にも、たとえ夜間等の暗い状態であっても、これに影響されることなく、前記記憶させた（先に設定した）照射角度に簡単かつ迅速にしかも正確に再設定することができる。
【００１８】
［３］［４］の発明によれば、灯具本体の下端部の係止部を首振り角度記憶用リング体の外周面の係止孔に係止せしめると共に、灯具本体の上下方向への首振り角度を所望角度に調整し、この調整状態で第１連結部と第２連結部とを連結部固定手段を用いて固定すると共に首振り角度記憶用リング体をリング体固定手段を用いて第１連結部に固定することによって、灯具本体を支持台に対して所望の首振り角度で固定することが可能となるのであるが、この時、灯具本体の所望の首振り角度での固定状態は、灯具本体の係止部が首振り角度記憶用リング体の係止孔に係止できる位置関係になった状態と関係付けられたものとなる、即ち、前記設定された灯具本体の首振り角度は、灯具本体の係止部とリング体の係止孔の位置関係によって照明装置に記憶される。しかして、ランプ交換や保守点検等のために灯具本体の照射角度を変更した場合でも、灯具本体を支持台に対して回動せしめれば、灯具本体の下端部の係止部が首振り角度記憶用リング体の外周面の係止孔の位置にきたときに係止部はその付勢力によって係止孔に侵入して係止され、即ち記憶された首振り角度になった時に係止部が係止孔に再び係止されてロック固定されるので、再び灯具本体を支持台に対して所望の首振り角度（先の設定角度）で固定することができる。
【００１９】
従って、本発明の照射装置では、従来の角度目盛り板を目安にするものと違って、ランプ交換や保守点検作業等を行うために灯具本体の照射角度を変更した場合にも、たとえ夜間等の暗い状態であっても、これに影響されることなく、前記記憶させた（先に設定した）照射角度に簡単かつ迅速にしかも正確に再設定することができる。
【００２０】
［５］の発明では、係止孔が支持台の上端部に設けられ、外方へ向けて付勢された係止部が首振り角度記憶用リング体に設けられた構成を採用した以外は、［１］の発明と同様の構成を採用しているので、［１］と同様に、ランプ交換や保守点検作業等を行うために灯具本体の照射角度を変更した場合にも、たとえ夜間等の暗い状態であっても、これに影響されることなく、灯具本体を記憶させた（先に設定した）照射角度に簡単かつ迅速にしかも正確に再設定することができる。
【００２１】
［６］の発明では、係止孔が灯具本体の下端部に設けられ、外方へ向けて付勢された係止部が首振り角度記憶用リング体に設けられた構成を採用した以外は、［２］の発明と同様の構成を採用しているので、［２］と同様に、ランプ交換や保守点検作業等を行うために灯具本体の照射角度を変更した場合にも、たとえ夜間等の暗い状態であっても、これに影響されることなく、灯具本体を記憶させた（先に設定した）照射角度に簡単かつ迅速にしかも正確に再設定することができる。
【発明を実施するための最良の形態】
【００２２】
以下、この発明に係る照明装置の一実施形態を図面に基づいて説明する。
【００２３】
図１は、同照明装置を示す外観斜視図、図２は同照明装置の平面図、図３は図２におけるＡ−Ａ線の断面図である。
【００２４】
本実施形態の照明装置は、例えば、壁面等のスポットライト用として使用されるものであり、灯具本体１と、支持台２と、灯具本体１の首振り角度調整機構３と、を備えている。
【００２５】
前記灯具本体１は、前部カバー１１と、後部カバー１２と、これら両カバー１１、１２を連結する中間ケース１３と、を備えている（図１、２参照）。
【００２６】
前記前部カバー１１の内部には、光源としてのランプ１１ａからの光を前方へ照射する反射鏡１１ｂなどが配置されており、その前端開口部には、前面レンズないしはガラス１１ｃを保持した前面カバー（前面キャップ）１１ｄが装着されている（図３参照）。
【００２７】
この実施形態では、前記後部カバー１２を外すことができるようになっており、この後部カバー１２を外せば、ランプ１１ａを交換できるようになっている。勿論、前面カバー１１ｄを外して、ランプ１１ａを交換できるように構成されていても良い。
【００２８】
前記後部カバー１２の内部には、図３に示すように、前記ランプ１１ａのソケット１２ａが配置されており、このソケット１２ａから図示しない電源リード線などが引き出されている。
【００２９】
前記中間ケース１３の下端には、基部１４を介して前記支持台２側に連結するための側面形状が円形の円盤からなる第２連結部１５が一体に形成されており（図１、３〜５参照）、この第２連結部１５には、後述する締め付けボルト４０が挿通される挿通孔１６が形成されている（図５、６参照）。
【００３０】
前記支持台２は、円形の台座２１と、この台座２１に支持された脚部２２とを備えている（図１、３参照）。
【００３１】
台座２１の上面側には、図３に示すように、円形凹部２１ａが形成されている。この凹部２１ａに前記脚部２２の下部が回転可能に嵌合され、これにより前記脚部２２が台座２１に対して水平面内で左右方向（図１の矢印ｂ方向）へ回転変移可能に支持されている。
【００３２】
この脚部２２の上端には、前記灯具本体１の第２連結部１５に対して側方から重ね合わされる側面形状が円形の円盤からなる第１連結部２３が一体形成されており（図４、５参照）、この第１連結部２３の側面側には、ねじ孔２５が形成されたボス部２４が突設されている（図５、６参照）。
【００３３】
これら両連結部１５、２３を対向する側面同士で重ね合わせ、支軸としての締め付けボルト４０を灯具本体１の第２連結部１５における挿通孔１６に挿通して支持台２の第１連結部２３におけるねじ孔２５にねじ込むことにより、両連結部１５、２３が連結固定される（回動できないように固定される）。締め付けボルト４０の締め付けを緩めれば、前記灯具本体１が前記支持台２に対して上下方向（図１の矢印ａ方向）へ首振り回動変移可能となる。
【００３４】
なお、前記灯具本体１と前記支持台２の連結構造については、灯具本体１を支持台２に首振り可能に連結できる構成であれば特に限定されない、即ち灯具本体１を支持台２に首振り可能に連結できる構造であれば任意のものを採用することができる。
【００３５】
次に、前記首振り角度調整機構３について図面を参照しつつ説明する。
【００３６】
前記首振り角度調整機構３は、連結部固定手段３９としての前記締め付けボルト４０と、前記灯具本体１の首振り角度を記憶させるための首振り角度記憶用リング体４１と、該首振り角度記憶用リング体４１を前記灯具本体１の第２連結部１５に固定するためのリング体固定手段５０と、前記リング体４１を前記支持台２に係止するための係止手段４３とを備えている（図４〜６参照）。
【００３７】
前記首振り角度記憶用リング体４１は、横断面形状が凹形状の環状体からなり、その外周面に、外壁を切り欠いて形成された係止孔４１ａが形成されている。この首振り角度記憶用リング体４１は、前記灯具本体１の第２連結部１５の側面に突設された円柱部１５ａに対して回動自在に外嵌されている（図５、６参照）。
【００３８】
なお、前記円柱部１５ａの先端面（側面）には、前記側板４４固定用の１対のねじ４６、４６が螺合される１対のねじ孔１５ｂ、１５ｂが形成されている。
【００３９】
前記リング体固定手段５０は、前記リング体４１の側方位置に対向配置された側板４４と、１対の締め付けねじ４２、４２とからなる。
【００４０】
これら１対の締め付けねじ４２、４２は、前記側板４４に形成されている１対のねじ孔４５、４５に挿通螺合されるものであり、前記灯具本体１を前記支持台２に対して上下方向へ首振り回動操作して照射角度を調整等する際には外しておき、照射角度が調整された後は、この１対の締め付けねじ４２、４２を前記１対のねじ孔４５、４５に挿通ねじ締めして前記首振り角度記憶用リング体４１を前記灯具本体１の第２連結部１５に対して固定することによって、灯具本体１の首振り角度（照射角度）を前記首振り角度記憶用リング体４１に記憶させることが可能となる。
【００４１】
即ち、前記灯具本体１の上下方向の首振り角度を所望角度に調整し、この調整状態で、前記締め付けねじ４２、４２を前記側板４４の１対のねじ孔４５、４５に挿通螺合して前記首振り角度記憶用リング体４１を側面から前記灯具本体１の第２連結部１５に対して圧着させることにより、前記側板４４を介して前記リング体４１が前記灯具本体１の第２連結部１５に対して締め付け固定される。
【００４２】
なお、前記側板４４は、前記灯具本体１の第２連結部１５との間でリング体４１を挟み込んで、前記リング体４１の前記円柱部１５ａからの脱落防止用の化粧板を兼務しており、前記１対のねじ孔１５ｂ、１５ｂに螺入される１対のねじ４６、４６によって、前記円柱部１５ａの側面に固定されるようになっている。
【００４３】
前記係止手段４３は、前記リング体４１の外周面の係止孔４１ａと、前記支持台２の脚部２２の上面に形成された縦孔部４３ａと、この縦孔部４３ａに配置された圧縮コイルばね等からなるばね部材４３ｂと、前記支持台２の縦孔部４３ａから上方に突出できるように前記ばね部材４３ｂによって上方に向けて付勢された係止部４３ｃとからなる（図５、６参照）。
【００４４】
前記係止部４３ｃの少なくとも下端部は、前記縦孔部４３ａ内において前記ばね部材４３ｂによって上下動可能に弾性支持されている。前記係止部４３ｃには、前記係止孔４１ａに対する係止部４３ｃの係止を解除するための解除操作部４３ｄが連結されている（図５、６参照）。
【００４５】
しかして、前記灯具本体１を前記支持台２に対して回動操作して所望の首振り角度（照射角度）に調整して灯具本体１を支持台２に固定する際には、前記締め付けボルト４０を緩め、さらに首振り角度記憶用リング体４１の締め付けねじ４２、４２を緩めることによって該リング体４１を第２連結部１５の円柱部１５ａに対して回動自在にしておき、且つ前記係止部４３ｃを前記リング体４１の外周面の係止孔４１ａに係止せしめた状態にしておく、次いで前記灯具本体１を上下方向に首振り移動させて所望の照射角度に設定し、この設定状態において、前記締め付けボルト４０を締め付け、さらに前記円柱部１５ａに固定されている側板４４のねじ孔４５、４５に螺合させた１対の締め付けねじ４２、４２を締め付けて首振り角度記憶用リング体４１を前記第２連結部１５に固定する。
【００４６】
なお、前記側板４４には、前記側板固定用のねじ４６、４６が挿通される１対のねじ挿通孔４７、４７が形成されている。
【００４７】
次に、上記照明装置の設置手順の一例を説明する。
【００４８】
まず、図７（Ａ）に示すように、支持台２の台座２１を床面等の設置面に取り付け固定する。次いで、図７（Ｂ）に示すように、設置面に対して脚部２２を水平面内、即ち左右方向へ回動変移させて、左右方向の所望の照射位置を選択して、その選択位置で固定する。例えば、水平方向調整ねじ６０（図１参照）で固定する。
【００４９】
次に、灯具本体１の上下方向への首振り角度を所望の角度に調整して固定する。例えば、壁面等に対する灯具本体１の照射角度を調整する。まず、前記灯具本体１の第２連結部１５の回動の支軸である締め付けボルト４０を緩めて該灯具本体１を支持台２に対して首振り自在にし、さらに首振り角度記憶用リング体４１の締め付けねじ４２、４２を緩めることによって該リング体４１を第２連結部１５の円柱部１５ａに対して回動自在な状態にする。
【００５０】
この状態で、図７（Ｃ）に示すように、前記灯具本体１を上下方向で回動変移させて、上下方向の所望の照射位置を探す。この時、前記首振り角度記憶用リング体４１は灯具本体１の第２連結部１５に対して回転自在であるから、該リング体４１における係止孔４１ａに前記係止部４３ｃが係止される。従って、この係止により前記首振り角度記憶用リング体４１が回転不能な状態に固定される。
【００５１】
前記灯具本体１の上下方向の所望の照射角度が決定されれば、図７（Ｄ）に示すように、前記締め付けねじ４０を灯具本体１の第２連結部１５のねじ挿通孔１６に挿通し、支持台２の第１連結部２３のねじ孔２５にねじ込んで締め付けることによって、灯具本体１の第２連結部１５を前記照射角度を保持した状態で支持台２の第１連結部２３に固定する（回転不能な状態に固定する）。
【００５２】
更に、前記側板４４のねじ孔４５、４５に対して締め付けねじ４２、４２をねじ込んで首振り角度記憶用リング体４１を締め付けると、該リング体４１が側板４４を介して灯具本体１の第２連結部１５に対して固定され、これにより前記照射角度が記憶されることになる。
【００５３】
なお、前記首振り角度記憶用リング体４１を灯具本体１の第２連結部１５に対して固定する手段は、前記側板４４を介して１対の締め付けねじ４２、４２でリング体４１を灯具本体１の第２連結部１５に締め付け固定する方法に特に限定されるものではなく、他の固定手段を適宜採用することもできる。
【００５４】
この後、図７（Ｅ）に示すように、支持台２の脚部２２を台座２１に対して水平面内で回動操作して、灯具本体１の左右方向の照射角度を最終的に微調整してもよい。
【００５５】
次に、前記照明装置のランプ１１ａ交換や保守点検等を行う時のメンテナンス作業手順の一例について説明する。
【００５６】
まず、所望の照射角度に設定されている灯具本体１を上下方向に回動できるように、締め付けボルト４０を緩める。次いで、図８（Ａ）に示すように、解除操作部４３ｄをばね部材４３ｂのばね力に抗して引き下げて、首振り角度記憶用リング体４１の外周面の係止孔４１ａに対する係止部４３ｃの係止状態を解除する。しかる後、図８（Ｂ）に示すように、灯具本体１を時計方向へ回動して前に倒す。この時、首振り角度記憶用リング体４１は、１対の締め付けねじ４２、４２により灯具本体１の第２連結部１５に対して締め付け固定された状態であるから、該灯具本体１の第２連結部１５と一体に回動する。
【００５７】
次に、図８（Ｃ）に示すように、灯具本体１を前に倒した姿勢で、灯具本体１の後部カバー１２を取り外すことにより、ランプ１１ａなどを交換する。
【００５８】
この後、前記後部カバー１２を装着し、前へ倒れていた灯具本体１を起こすように回動操作すれば、前記首振り角度記憶用リング体４１も同方向へ回動する。この時、図８（Ｄ）に示すように、灯具本体１が、首振り角度記憶用リング体４１と共に元の照射角度位置に戻ると、前記上方へのばね力を受けている係止部４３ｃがリング体４１の係止孔４１ａに侵入して係止されるから、この係止された位置で灯具本体１の回動が停止され、こうして灯具本体１が記憶された首振り角度、即ち先に設定した所望の照射角度に自動的に再設定される。この状態で前記締め付けボルト４０を締め付ければ、図８（Ｅ）に示すように、灯具本体１を支持台２に対して前記先に設定した所望の首振り角度で再固定することができて、メンテナンス作業が完了する。
【００５９】
このように、上記構成の照明装置では、灯具本体１の第２連結部１５に、周方向の一部に係止孔４１ａが形成された首振り角度記憶用リング体４１を回転自在に配設することにより、灯具本体１の上下方向の照射角度を調整する際に、前記リング体４１の係止孔４１ａに支持台２の係止部４３ｃが自動的に係止されるから、所望の照射角度で首振り角度記憶用リング体４１を灯具本体１の第２連結部１５に固定すれば、その照射角度が記憶されることになる。
【００６０】
このため、メンテナンス時に締め付けボルト４０を緩めて、係止部４３ｃの係止孔４１ａに対する係止状態を解除してから、灯具本体１を倒してランプ交換した後、灯具本体１を元の方向に戻していくと、支持台２側の係止部４３ｃの首振り角度記憶用リング体４１の係止孔４１ａに対する係止状態が再び成立し、これにより灯具本体１が記憶通りの照射角度に自動的に再設定される。
【００６１】
従って、従来の角度目盛り板を目安にするものと違い、ランプ交換や保守点検作業を行う時に、たとえ夜間等の暗い状態であっても、これに影響されることなく、先に設定した照射角度に簡単かつ迅速にしかも正確に再設定することができる。
【００６２】
また、従来の灯具本体の上方向きの限度位置あるいは下方向きの限度位置を記憶させるものと違って、上下方向の任意の角度位置を記憶させることが可能であり、使い勝手が極めて良くなるうえ、灯具本体１の首振り角度を調整する際に、首振り角度記憶用リング体４１を手でわざわざ回さなくても自動的に前記係止状態が得られるから、設定された首振り角度（照射角度）が簡単に記憶されることになる。
【００６３】
なお、前記実施形態では、首振り角度記憶用リング体４１の外周面に係止孔４１ａを形成し、支持台２に係止部４３ｃを設けた構成を採用しているが、特にこのような構成に限定されるものではなく、例えば、支持台２に係止孔を形成し、首振り角度記憶用リング体４１に外方に向けて付勢された係止部を設けた構成を採用しても良い。
【００６４】
また、前記実施形態では、前記首振り角度記憶用リング体４１を灯具本体１の第２連結部１５に対して回動可能に配置した構成を採用しているが、特にこのような構成に限定されるものではなく、例えば、前記首振り角度記憶用リング体４１を支持台２の第１連結部２３に対して回動可能に配置した構成を採用することもできる。
【図面の簡単な説明】
【００６５】
【図１】この発明の一実施形態に係る照明装置を示す外観斜視図である。
【図２】同じく照明装置を示す平面図である。
【図３】図２におけるＡ−Ａ線の断面図である。
【図４】首振り角度調整機構及びその近傍を示す斜視図である。
【図５】同じく首振り角度調整機構及びその近傍を示す分解斜視図である。
【図６】同じく首振り角度調整機構及びその近傍を示す一部破断断面図ある。
【図７】照明装置の取り付け手順の説明図である。
【図８】照明装置のランプ交換等のメンテナンス作業の手順の説明図である。
【符号の説明】
【００６６】
１…灯具本体
２…支持台
３…首振り角度調整機構
１５…第２連結部
２３…第１連結部
３９…連結部固定手段
４１…首振り角度記憶用リング体
４１ａ…係止孔
４３ｃ…係止部
５０…リング体固定手段
【図１】
0004643503.tif 000002
【図２】
0004643503.tif 000003
【図３】
0004643503.tif 000004
【図４】
0004643503.tif 000005
【図５】
0004643503.tif 000006
【図６】
0004643503.tif 000007
【図７】
0004643503.tif 000008
【図８】
0004643503.tif 000009